(57)【特許請求の範囲】
【請求項１】
遊技球供給通路から供給される遊技球の排出方向を一方の通路と他方の通路に振分ける遊技機の球振分け装置であって、
前記通路の壁の開口部を経て、遊技球の流路に出入りするスライダーにより、遊技球の方向を振り分けること、
モーターの駆動力によりカムを回転させ、前記カムの回転に伴い前記スライダーをスライドさせること、及び、
前記スライダーはバネにより付勢されており、前記スライダーへ加わるバネの弾性力が、遊技球１個の重さよりも小さく設定されること、
を特徴とする遊技機の球振分け装置。
【請求項２】
前記スライダーの前端部の下面の形状が、先に行くほど、その厚みが減少する傾斜面となっている請求項１の遊技機の球振分け装置。
【発明の詳細な説明】
【技術分野】
【０００１】
本発明は、遊技機の球振分け装置に関し、特に、モーターでスライダーを駆動する構造に関する。
【背景技術】
【０００２】
遊技機の球振分け装置については、モーターで駆動されるロータを用いて振り分ける方式、モーターの回転が駆動アームを介してリンク機構を経てスライド板を移動する方式、モーター駆動で仕切りカムを動かしてスプロケットで振り分ける方式、ソレノイド駆動でスライダーを駆動し扉を回動する方式が代表的である。これらについて、以下通りの発明が提案されている。
【０００３】
特許文献１に記載の発明は、モーター３で揺動部材２の揺動とロータ３の回転とを行う。球入賞装置が、クルーン１から落下された球を上端の開口部２１に連設された球入賞通路２２と球排出通路２３とに振り分けて受け入れる揺動部材２と、球入賞通路２２から送り込まれた球を一般凹部３３又は特定凹部３５に受け入れるロータ３とからなる。一般凹部３３は球を一側方向に排出して一般入賞通路４１に流入させ、特定凹部３５は球をロータの放射方向に排出して特定入賞通路４２に流入させる。
【０００４】
特許文献２に記載の発明は、ステッピングモーターの回転により、スライド板１２６を往復動させる構成となっており、駆動アーム１３０を介してスライド板１２６が直線的に水平移動でき、貫通孔１０６Ｈを排出口２０８Ａから貸球側通路２１４の入り口２１４Ａへ、または、賞球側通路２１２の入り口２１２Ａへと配置できるようになる。
【０００５】
特許文献３に記載の発明は、パチンコ台毎の裏面に備えられ、上部から下部にかけて仕切りカム１２と、計数センサーＳ1と、振分カム１３と、賞玉センサーＳ2と、玉貸しセンサーＳ3とをこの順に配設し、また両カム１２，１３と正逆転モーターＭとの間を遊星歯車機構１４で連結している。
【０００６】
特許文献４に記載の発明は、玉を入賞口１から受入れる筐体２と、該筐体２の側壁２８に軸着されて入賞口１を開閉する前扉３と、前扉３を回動するプランジャ式ソレノイド４とからなる入賞装置において、外周面にカム曲線５が形成された円柱体６をプランジャ４１の先端に装着するとともに、筐体２には前記カム曲線５に係合する接触子７を突設して、プランジャ４１を吸引、突出させて円柱体６をカム曲線５に従って回転しつつ前後動させることにより、円柱体６が前扉３下部の係合突片３２を押圧して前扉３を回動させるものである。
【先行技術文献】
【特許文献】
【０００７】
【特許文献１】特開平２００７−１３０３７３号公報
【特許文献２】特開平２００２−９５８３７号公報
【特許文献３】特開平２００１−１９０７７８号公報
【特許文献４】特開２００４−３３７５２２号公報
【発明の概要】
【発明が解決しようとする課題】
【０００８】
特許文献１、２、３に示すモーター駆動方式は、ソレノイドの駆動による発熱が激しくなる特許文献４に示すソレノイド駆動方式と対比して、耐久性が高い。しかしながら、通常、モーター駆動方式ではギア等でスライダーとモーターとを連結した構成とするので、モーターがスライダーを押し出す力が強く、スライダーがタイミング悪く動くと、スライダーと通路の壁の間で遊技球が噛み込んでしまうおそれがあり、メンテナンス上で不都合が生じるおそれがある。
【課題を解決するための手段】
【０００９】
そこで、本発明の遊技機の球振分け装置は、遊技球供給通路から供給される遊技球の排出方向を一方の通路と他方の通路に振分ける遊技機の球振分け装置であって、前記通路の壁の開口部を経て、遊技球の流路に出入りするスライダーにより、遊技球の方向を振り分けること、モーターの駆動力によりカムを回転させ、前記カムの回転に伴い前記スライダーをスライドさせること、及び、前記スライダーはバネにより付勢されており、前記スライダーへ加わるバネの弾性力が、遊技球１個の重さよりも小さく設定されること、を特徴とする。
【００１０】
前記スライダーの前端部の下面の形状が、先に行くほど、その厚みが減少する傾斜面となっていることが好ましい。
【発明の効果】
【００１１】
請求項１の発明により、通路の壁とスライダーとの間での球の噛み合いを防止することができ、遊技機のメンテナンスが容易となる。
【００１２】
請求項２の発明により、噛み込みの確率を減少させ、また、通路の壁とスライダーとの間で球が噛み合ったときでも、遊技球の噛み込みの解除動作の抵抗が軽減できる。
【図面の簡単な説明】
【００１３】
【図１】本発明実施形態の遊技機の球振分け装置が遊技球排出装置に取り付けられた状態を示す正面図である。
【図２】同じくスライダーが退避位置にあるときの図１のＩＩ-ＩＩ断面図である。
【図３】同じくスライダーが進出位置にあるときの図１のＩＩ-ＩＩ断面図である。同じく正面図である。
【図４】本発明実施形態の遊技機の球振分け装置の斜視図である。
【図５】同じく分解斜視図である。
【図６】同じくスライダーとカムの動作を示す平面図。
【図７】（ａ）は本発明実施形態における遊技球の噛み込みを示す一部縦断面図、（ｂ）は噛み込みが解消した場合の一部縦断面図である。
【発明を実施するための形態】
【００１４】
以下に、本発明実施形態の遊技機の球振分け装置１について図１〜図５を参照して説明する。この球振分け装置１は、図１に示す通り、遊技球排出装置１００に付設されるものであり、この遊技球排出装置１００は、遊技台毎の裏面に備えられ、流下用の通路１０１を備え、この通路１０１が、１列排出用の第１通路１０２と第２通路１０３を、仕分けリブ１０４を配設して両側に２列に分岐した通路を形成している。球振分け装置１の通路１０１の上部から下部にかけて、順に、遊技球Ｋの通過をＯＮ・ＯＦＦとするシャッター１０５、遊技球Ｋが通過したことを検知する近接センサー１０６、遊技状況に応じて遊技球Ｋを一時的に停留させる停留部１０７、第１通路１０２の入口に設ける球振分け装置１を、それぞれ、配設したものである。停留部１０７は遊技球Ｋを一時停留させ、タイミングをずらして遊技球Ｋを振り分けさせるものである。
【００１５】
遊技機の球振分け装置１の詳細な構成について図１〜図７を参照して説明する。球振分け装置１は、遊技球Ｋが流下する通路１０１の開口部１０８を経て、遊技球Ｋの流路に横方向から通路内に出入りするスライダー２により、遊技球Ｋの流下方向を振分け、モーター３の駆動力によりカム４を回転させ、カム４の回転に伴いスライダー２を水平方向にスライドさせ、スライダー２はバネ５により付勢され、スライダー２へ加わるバネ５の弾性力が、遊技球Ｋの１個の重さよりも小さく設定されることを特徴とする。
【００１６】
前記の構成に加えて、この球振分け装置１は、ベース６と、ベース６の上部開口を閉鎖しバネ５が取り付けられる蓋７と、スライダー２の位置を検出する近接センサー８と、を備えている。以下、各構成の詳細について説明する。
【００１７】
スライダー２は、箱型の本体の前部に舌部２０を有し、舌部２０の下面２１の先端領域に傾斜面２２を備え、本体底面に水平方向に板状部２３を備え、本体後部にピン２４を立設している。傾斜面２２の形状は、先端にゆくほど、その厚みが減少するようになっており、ここでは直面状であるが、曲面でもよい。この傾斜面２２により垂直面２２ａの高さが小さくなっている。この舌部２０が第１通路１０２内に水平方向に出入りすることができるように配置されている。スライダー２の本体底面の中央部よりやや前部にスライド方向と直交する方向に延び出す板状部２３が固定されている。この板状部２３は、バネ５の弾性力によりカム４と当接するようになっている。ここでは、バネ５が元に戻ろうとする弾性力でそれらの当接が保持されている。ピン２４の上部にバネ５を係止している。このスライダー２は、図１の矢印に示す通り、退避位置にあるときには、遊技球Ｋを第１通路１０２に真っ直ぐ下方に落とし、進出位置（通路１０２を閉じる位置）にあるときには、遊技球Ｋが舌部２０の上面に衝突して、その方向が変更され、左方向にある第２通路１０３に振り分けるものである。
【００１８】
モーター３は取付部３０により、ベース６の下面に固定されている。モーター３は回転軸３１を備えている。モーター３がカム４を回転させ、板状部２３を備えたスライダー２が往復動を行うようになっている。このモーター３は、制御基板（図示略）と接続されている。
【００１９】
カム４は回転軸３１に固定され一体に回転する軸部４０と、板状部２３と当接するため軸部４０から偏心して上方に延び出す円筒形状または円柱形状の当接部４１と、を備えている。
【００２０】
バネ５の軸方向はスライダー２のスライド方向に平行になっている。バネ５は一端部５０と他端部５１を備えている。バネ５は常にスライダー２を進出位置に引き戻すような弾性力でスライダー２を付勢し、この弾性力により、スライダー２の板状部２３がカム４の当接部４１と接触しながら、モーター３とカム４の回転作用により、スライダー２の往復動に変換している。
【００２１】
ベース６は、図５に示す通り、箱型に形成され、上面と下面に設けた開口部６０，６１と、固定するための取付部６２，６３，６４と、を備えている。開口部６０にスライダー２が前方にスライド可能に収容される。
【００２２】
蓋７は、ベース６の開口部６０にスライダー２を収容した状態で、上を覆うものである。蓋７は、ピン２４を貫通させる貫通孔７０、固定するための取付部７１，７２、７３、バネ５の一端部５０を係止するフック形状の係止部７４を備えている。バネ５の他端部５１はピン２４に係止されている。
【００２３】
フォトセンサー８は、スライダー２の位置を光学的に検出するものであり、ベース６の下部に固定され、スライダー２の下部に位置している。ここでは、フォトセンサー８は、スライダー２が前方に進出しているのか、退避しているのかを感知するものである。このフォトセンサー８は、制御基板（図示略）と接続されている。
【００２４】
次に、遊技機の球振分け装置１の振分け動作については、一例を説明するが、これに限定されるわけではない。この例では、遊技中は、モーター３とカム４は常時回転している。バネ５はスライダー２を第１通路１０２に近づけるようなスライド方向、すなわち、図６中、左側にスライダー２を付勢し、常時、カム４の回転に伴い、カム４と板状部２３とを、常時、弾性力で当接させている。スライダー２は、第１通路１０２に対して前後方向への水平方向のスライドを定期的に繰り返す。スライダー２は、図２の退避位置、図３の閉鎖位置、または、それらの間を移動する途中の位置、のいずれかの位置をとる。これにより、スライダー２が前進しているときには、図３に示す通り、第１通路１０２は閉じられて、遊技球Ｋがスライダー２の上面と当たって、第２通路１０３に振り分けられ、図２に示す通り、スライダー２が退避しているときには、第１通路１０２に振り分けられる。
【００２５】
ここで、図７（ａ）に示す通り、タイミング悪く、第１通路１０２の壁とスライダー２の舌部２０の先端との間で遊技球Ｋが挟まれた状態となり、落下せず、噛み込みが生じたとする。こうした場合、スライダー２へ加わるバネ５の弾性力が、遊技球Ｋ１個の重さよりも小さく設定されるので、スライダー２が遊技球Ｋを噛み込む力が弱くなっていることから、遊技球Ｋの自重が優って、図７（ｂ）に示す通り、遊技球Ｋが噛み込みから脱出し、第１通路１０２に無事に落下することとなる。脱出の際には、一瞬、反動により、板状部２３とカム４とが分離するが、バネ５の弾性力により、自動的に当接状態に復帰する。傾斜面２２により垂直面２２ａの高さが小さくなっているため、接触時間が短く、噛み込みからの離脱が早期に行われる。
【００２６】
以上説明したとおり、本実施形態によれば、遊技機の球振分け装置１により、ソレノイド方式のような発熱を防止でき、耐久性を高めるとともに、遊技球Ｋの噛み込みがあったとしても、これを自動的に解消することができ、メンテナンスを容易にすることができる。また、傾斜面２２により、噛み込みの確率を減少させ、また、噛み込みの解除動作の際の抵抗が軽減できる。
【００２７】
以上の実施形態は、本発明の実施のための好ましい実施形態の例示であること、また、当業者は、本発明の開示に鑑みて、本発明の要旨から離れることなく多数の改良、変更、置換、欠失、追加等が可能である。例えば、遊技機の一例としてパチンコ機について説明したが、他の遊技機、例えば雀球遊技機やアレンジボール遊技機などに適用してもよい。また常時駆動に適用したが、非常時駆動にも適用が可能である。また、スライダー２、カム４、バネ５等の構造は上述の実施形態に限定されるものではない。
【符号の説明】
【００２８】
１・・・  遊技機の球振分け装置
２・・・スライダー
２０・・・舌部
２１・・・下面
２２・・・傾斜面
２３・・・板状部
２４・・・ピン
３・・・モーター
３０・・・取付部
３１・・・回転軸
４・・・カム
４０・・・軸部
４１・・・当接部
５・・・バネ
５０・・・一端部
５１・・・他端部
６・・・ベース
６０，６１・・・開口部
６２，６３，６４・・・取付部
７・・・蓋
７０・・・貫通孔
７１，７２、７３・・・取付部
７４・・・係止部
８・・・近接センサー
１００・・・遊技球排出装置
１０１・・・通路
１０２・・・第１通路
１０３・・・第２通路
１０４・・・仕分けリブ
１０５・・・シャッター
１０６・・・近接センサー
１０７・・・停留部
１０８・・・開口部
Ｋ・・・遊技球
【図１】
0006322880.tif 000002
【図２】
0006322880.tif 000003
【図３】
0006322880.tif 000004
【図４】
0006322880.tif 000005
【図５】
0006322880.tif 000006
【図６】
0006322880.tif 000007
【図７】
0006322880.tif 000008